(57)【要約】【課題】  浴槽と壁面部または浴槽に隣接するカウンターと壁面部との隙間を確実にシールできる浴槽用目地材を提供すること。【解決手段】  浴槽１４と壁面部１１等との間およびカウンター１６と右壁面パネル１５ｂとの間の隙間に弾性材料からなる目地材２０を取り付けた。この目地材２０を、浴槽１４の表面側部分に沿って設置される表面シール部２１と、表面シール部２１の裏面から隙間の内部側に向って延びて浴槽１４の側面部に沿って設置される差込圧接部２２とで構成した。そして、差込圧接部２２の上下方向の中央側部分が、浴槽１４の側面部に付勢されるように差込圧接部２２を湾曲させた。また、差込圧接部２２の突出した部分に弾性ヒレ部２３，２４を形成した。さらに、表面シール部２１を、浴槽１４に密接する浴槽密接部２１ａと、壁面部１１等に密接する壁面密接部２１ｂとで構成した。【選択図】  図５
2006230745.tif 000002
【特許請求の範囲】
【請求項１】
浴槽と壁面部との間またはカウンターと壁面部との間の隙間に取り付けられる弾性材料からなる浴槽用目地材であって、
前記浴槽または前記カウンターの表面側部分に沿って設置される表面シール部と、前記表面シール部の裏面から前記隙間の内部側に向って前記隙間の幅方向に湾曲した状態で延びて前記浴槽または前記カウンターの側面部に沿って設置される差込圧接部とで構成され、前記表面シール部が、前記浴槽と前記壁面部との間または前記カウンターと前記壁面部との間をシールし、前記差込圧接部が、前記浴槽の側面部と前記壁面部との両面、または前記カウンターの側面部と前記壁面部との両面に圧接して前記表面シール部を適正位置に固定することを特徴とする浴槽用目地材。
【請求項２】
前記差込圧接部における表面シール部側部分と先端部との間の中央側部分が、前記浴槽または前記カウンターの側面部に付勢されるようにして前記差込圧接部の湾曲形状が形成されている請求項１に記載の浴槽用目地材。
【請求項３】
前記差込圧接部の湾曲形状における突出した部分に弾性ヒレ部を形成した請求項１または２に記載の浴槽用目地材。
【請求項４】
前記表面シール部が、前記浴槽または前記カウンターに密接する浴槽密接部と、前記壁面部に密接する壁面密接部とを備えている請求項１ないし３のうちのいずれか一つに記載の浴槽用目地材。
【請求項５】
前記浴槽と前記壁面部との間および前記カウンターと前記壁面部との間の隙間に連続して取り付けられた請求項１ないし４のうちのいずれか一つに記載の浴槽用目地材。
【発明の詳細な説明】
【技術分野】
【０００１】
本発明は、浴槽と壁面部との間またはカウンターと壁面部との間の隙間に取り付けられる浴槽用目地材に関する。
【背景技術】
【０００２】
従来から、浴室内に設置される浴槽と浴室の壁面部との間や、浴槽に並べて設置されるカウンターと壁面部との間に生じる隙間には、目地材が設けられており、この目地材によって、隙間内に水が浸入することが防止されている（例えば、特許文献１）。この目地材は、壁面部と浴槽との間を塞ぐ上面部と、上面部から下方に延びる差込部を備えており、差込部は、上面部から垂下する垂下部と、垂下部の下端から浴室側に傾斜して延びる傾斜部とで構成されている。そして、垂下部には、浴室側に突出するヒレ部が形成され、傾斜部の下端部には、浴槽リムの下端部と係合する係合部が形成されている。
【特許文献１】特開２００２−２９１６４２号公報
【発明の開示】
【０００３】
しかしながら、前述した従来の目地材は、係合部の下端部に形成された係合部を浴槽リムの下端部に係合させることにより、浴槽と壁面部との間に取り付けられるため、浴槽の側面部が平面状に形成されて、浴槽リムが設けられていない浴槽では使用できないという問題がある。また、目地材の上下方向の長さを浴槽リムの上下方向の長さに合わせなければならないため、使用できる浴槽がさらに限られるという問題がある。さらに、浴槽と壁面部との間隔が大きい場合には、ヒレ部が浴槽リムに充分に圧接できなくなり、目地材が隙間から外れたりシール性が悪くなったりするという問題がある。
【０００４】
本発明は、前述した問題に対処するためになされたもので、その目的は、浴槽と壁面部または浴槽に隣接するカウンターと壁面部との隙間を確実にシールできる浴槽用目地材を提供することである。
【０００５】
前述した目的を達成するため、本発明に係る浴槽用目地材の構成上の特徴は、浴槽と壁面部との間またはカウンターと壁面部との間の隙間に取り付けられる弾性材料からなる浴槽用目地材であって、浴槽またはカウンターの表面側部分に沿って設置される表面シール部と、表面シール部の裏面から隙間の内部側に向って隙間の幅方向に湾曲した状態で延びて浴槽またはカウンターの側面部に沿って設置される差込圧接部とで構成され、表面シール部が、浴槽と壁面部との間またはカウンターと壁面部との間をシールし、差込圧接部が、浴槽の側面部と壁面部との両面、またはカウンターの側面部と壁面部との両面に圧接して表面シール部を適正位置に固定することことにある。
【０００６】
このように構成された本発明の浴槽用目地材は、弾性材料からなる表面シール部と差込圧接部とで構成されており、差込圧接部は、隙間における浴槽またはカウンターの表面側部分から奥側に向う方向が湾曲状に形成されている。したがって、差込圧接部は、隙間を構成する両側の面によって、湾曲形状が直線状に近づくように押し付けられた状態で両側の面に圧接して固定される。このため、表面シール部も浴槽またはカウンターの表面部における所定部分に沿った適正位置に固定された状態を維持する。この場合の浴槽またはカウンターの表面部とは、壁面部に対向する浴槽またはカウンターの上面縁部や、壁面部に対向する浴槽またはカウンターの側面部等である。
【０００７】
また、差込圧接部が湾曲状に形成されているため、隙間の幅が多少長くなっていたり、短くなっていたりしても差込圧接部の幅は、その隙間の幅に応じた長さになる。このため浴槽と壁面部との間またはカウンターと壁面部との間の長さが異なる場合であっても、浴槽用目地材を適正状態で取り付けることが可能になる。さらに、本発明に係る浴槽用目地材は、浴槽リムのない浴槽に対しても使用が可能である。また、表面シール部は、差込圧接部が固定されることにより隙間の表面側部分を良好な状態にシールするとともに、見映えを良くする意匠的な機能も有している。
【０００８】
また、本発明に係る浴槽用目地材の他の構成上の特徴は、差込圧接部における表面シール部側部分と先端部との間の中央側部分が、浴槽またはカウンターの側面部に付勢されるようにして差込圧接部の湾曲形状が形成されていることにある。これによると、少なくとも差込圧接部の中央側部分が浴槽またはカウンターの側面部に圧接し、差込圧接部の両端部または先端部と表面シール部とが壁面部に圧接する。このため、隙間を形成する両面に浴槽用目地材の３箇所の部分が圧接するようになり、浴槽用目地材の隙間への取り付けが強固になる。
【０００９】
また、本発明に係る浴槽用目地材のさらに他の構成上の特徴は、差込圧接部の湾曲形状における突出した部分に弾性ヒレ部を形成したことにある。これによると、弾性ヒレ部が、対向する面に圧接するため、摩擦抵抗が大きくなり、浴槽用目地材が隙間からさらに外れ難くなる。これによって、浴槽用目地材と隙間の両面との係合がより確実になり、浴槽用目地材が隙間から外れることを防止できる。
【００１０】
また、本発明に係る浴槽用目地材のさらに他の構成上の特徴は、表面シール部が、浴槽またはカウンターに密接する浴槽密接部と、壁面部に密接する壁面密接部とを備えていることにある。これによると、表面シール部によるシール性が向上し、確実な止水が可能になる。
【００１１】
また、本発明に係る浴槽用目地材のさらに他の構成上の特徴は、浴槽と壁面部との間およびカウンターと壁面部との間の隙間に連続して取り付けられたことにある。これによると、浴槽に隣接してカウンターを設けた場合のシール性を高めることができる。
【発明を実施するための最良の形態】
【００１２】
以下、本発明の一実施形態を図面を用いて説明する。図１は本発明に係る浴槽用目地材としての目地材２０が設置された浴室１０を示している。この浴室１０では、浴室１０内と屋外とを仕切る壁面部１１に窓１２が設けられており、床面１３における窓１２側部分に浴槽１４が設置されている。そして、浴槽１４の左右（図１では前後）の側面部は、左壁面パネル１５ａ（図５参照）または右壁面パネル１５ｂに対向している。また、浴槽１４の前側（図１では右側）における右壁面パネル１５ｂに沿った部分にカウンター１６が設けられている。そして、カウンター１６の上方に形成された壁面に鏡１７や収容棚１８等が設けられている。また、カウンター１６の上面の高さは、浴槽１４の上面部１４ａの高さと略等しくなるように設定されている。
【００１３】
そして、浴槽１４の上面部１４ａの縁部における左壁面パネル１５ａ、壁面部１１および右壁面パネル１５ｂとの境界部に生じる隙間に目地材２０が取り付けられている（左壁面パネル１５ａ側の目地材２０は図示していない。）。また、カウンター１６の上縁部と右壁面パネル１５ｂとの間に生じる隙間にも目地材２０が取り付けられている。目地材２０は、弾性を備えた軟質ゴムで構成されており、図２に示したように、断面形状が大きく湾曲した形状の帯状に形成されている。
【００１４】
すなわち、目地材２０は、断面形状が略楕円状に形成された表面シール部２１と、図２の状態での表面シール部２１の下部から下方に延び、断面形状が円弧状に形成された差込圧接部２２とで構成されている。表面シール部２１は、一端側部分が浴槽１４側に位置決めされる浴槽密接部２１ａに形成され、他端側部分が左壁面パネル１５ａ等の壁面側に位置決めされる壁面密接部２１ｂに形成されている。そして、表面シール部２１の下部における壁面密接部２１ｂ側部分から差込圧接部２２が延びている。差込圧接部２２は、壁面密接部２１ｂの下部から浴槽密接部２１ａ側に傾斜するように湾曲して延び、下部側部分が壁面密接部２１ｂ側に傾斜するように湾曲して延びている。
【００１５】
また、差込圧接部２２の湾曲が突出した側の面における上下方向の略中央部には、１個の突条からなる弾性ヒレ部２３が形成され、弾性ヒレ部２３の下方には、一対の突条からなる弾性ヒレ部２４が形成されている。また、差込圧接部２２における左壁面パネル１５ａと壁面部１１との角部に設置される部分、壁面部１１と右壁面パネル１５ｂとの角部に設置される部分および浴槽１４の上面部１４ａと側面部との角部に設置される部分には、図３に示したような三角状の切り欠き部２５を設けておく。
【００１６】
これによって、差込圧接部２２における隙間の角部の内角側に位置する部分に余剰部分が生じることがなくなり、目地材２０のより適正な取り付けが可能になる。さらに、目地材２０を、差込圧接部２２の端部側（下側）部分が広がるように引っ張られる部分に取り付ける場合には、図４に示したような差込圧接部２２の端部から表面シール部２１側に延びる線状の切断線２６を設けておく。これによって、差込圧接部２２に無理な力が加わって引っ張られることを防止できる。
【００１７】
つぎに、このように構成された目地材２０を、浴室１０に設置された浴槽１４と、左壁面パネル１５ａ、壁面部１１および右壁面パネル１５ｂとの間の境界部およびカウンター１６と右壁面パネル１５ｂとの間の境界部にそれぞれ生じる隙間に取り付ける場合について説明する。この場合、まず、目地材２０を取り付ける隙間の長さを測るとともに、目地材２０をその測定値の長さに切断する。そして、目地材２０における隙間の各角部に位置する部分に切欠き部２５や切断線２６を必要に応じて設けておく。つぎに、隙間の一方の端部、例えば、浴槽１４と左壁面パネル１５ａとの隙間における浴槽１４の正面上部側部分から順次差込圧接部２２を隙間に差し込んでいくことにより目地材２０の取り付けを行う。
【００１８】
この際、目地材２０の差込圧接部２２は、図５に示したように、湾曲部を直線状に近づけるように変形しながら浴槽１４の側面部と左壁面パネル１５ａとの間に入っていく。これによって、表面シール部２１と差込圧接部２２の下端部とが、左壁面パネル１５ａに圧接するとともに、差込圧接部２２の上下方向における略中央部が浴槽１４側に付勢され、弾性ヒレ部２３が浴槽１４の側面部に圧接する。この際、弾性ヒレ部２３は押し潰されて浴槽１４の側面部に密着する。また、弾性ヒレ部２４の先端部も浴槽１４の側面部に圧接する。この結果、目地材２０は、浴槽１４と左壁面パネル１５ａとの間に固定される。
【００１９】
また、差込圧接部２２が、直線状に近づくように変形することによって、表面シール部２１の浴槽密接部２１ａが浴槽１４の上面部１４ａに押し付けられて密接するとともに、壁面密接部２１ｂが左壁面パネル１５ａに密接して、浴槽１４と左壁面パネル１５ａとの間がシールされる。このシール状態は、目地材２０が、浴槽１４と左壁面パネル１５ａとの間に固定されることによって維持される。また、浴槽１４と左壁面パネル１５ａとの隙間が、図５に示した状態よりも狭い場合には、差込圧接部２２は、図５に示した状態よりもさらに、湾曲部を直線状に近づけるように変形するとともに、弾性ヒレ部２４も浴槽１４の側面部に押し潰されて浴槽１４の側面部に密着する。
【００２０】
また、浴槽１４と左壁面パネル１５ａとの隙間が、図５に示した状態よりも広い場合には、差込圧接部２２は、図５に示した状態よりも、湾曲を大きくして、浴槽１４と左壁面パネル１５ａとの間に固定される。そして、隙間の角部に目地材２０を取り付ける際には、目地材２０の差込圧接部２２側部分を伸ばしたり重ねたりすることなく、自然な状態にして差込圧接部２２を隙間の角部に差し込む。
【００２１】
この場合、差込圧接部２２に設けられた切欠き部２５によって、角部に取り付けられた目地材２０の差込圧接部２２および表面シール部２１はともに、しわが入って重なったり、引っ張られたりすることなく適正な状態で取り付けられる。また、浴槽１４と、壁面部１１および右壁面パネル１５ｂとの間に生じる隙間およびカウンター１６と右壁面パネル１５ｂとの間に生じる隙間にも同様にして目地材２０を取り付ける。
【００２２】
このように、本実施形態に係る目地材２０は、浴槽１４と左壁面パネル１５ａ等の壁面との間およびカウンター１６と右壁面パネル１５ｂとの間をシールする表面シール部２１と、隙間の内部に差し込まれる差込圧接部２２とで構成されており、差込圧接部２２の中央部が、浴槽１４側に突出するように湾曲状に形成されている。したがって、差込圧接部２２は、隙間を構成する両側の面に押し付けられた状態で隙間に固定される。これによって、表面シール部２１が浴槽１４の縁部や側面に沿った適正位置に固定され良好なシール性を維持する。
【００２３】
また、差込圧接部２２が湾曲状に形成されているため、隙間の幅方向の長さが異なっていても適正状態での取り付けが可能になる。さらに、目地材２０は、浴槽リムのない浴槽に対しても使用が可能である。また、差込圧接部２２における湾曲によって突出した部分に弾性ヒレ部２３，２４を形成して、弾性ヒレ部２３，２４が、対向する面に圧接するようにしたため、摩擦抵抗が大きくなり、目地材２０が隙間の両面に強固に固定される。これによって、目地材２０と隙間の両面との係合がより確実になり、目地材２０が隙間から外れることを防止できる。
【００２４】
また、本発明に係る浴槽用目地材は、前述した実施形態に限定するものでなく、本発明の技術的範囲内で適宜変更して実施することが可能である。例えば、浴槽用目地材を、弾性材料を渦巻き状に成形したもので構成することもできる。これによると、浴槽用目地材を隙間に取り付ける際に、浴槽用目地材の内周側を伸ばしながら隙間に取り付けることにより、浴槽に差込圧接部を密接させることができる。
【００２５】
また、前述した実施形態では、目地材２０を軟質ゴムで構成しているが、この目地材２０を構成する材料としては、エラストマーなど伸縮可能で弾性を有する材料であれば他のものでもよい。さらに、前述した実施形態では、差込圧接部２２に弾性ヒレ部２３，２４を設けているが、この弾性ヒレ部は、どちらか一方だけを設けてもよいし、さらに多数の弾性ヒレ部を設けてもよい。また、その形状も適宜変更することができる。また、その他、浴槽用目地材を構成する各部分の形状等についても適宜変更することができる。
【図面の簡単な説明】
【００２６】
【図１】本発明の一実施形態に係る目地材が取り付けられた浴室を示した斜視図である。
【図２】目地材を示した斜視図である。
【図３】目地材に設けた切欠き部を示した正面図である。
【図４】目地材に設けた切断線を示した正面図である。
【図５】目地材を隙間に取り付けた状態を示した断面図である。
【符号の説明】
【００２７】
１０…浴室、１１…壁面部、１４…浴槽、１５ａ…左壁面パネル、１５ｂ…右壁面パネル、１６…カウンター、２０…目地材、２１…表面シール部、２１ａ…浴槽密接部、２１ｂ…壁面密接部、２２…差込圧接部、２３，２４…弾性ヒレ部。
【図１】
2006230745.tif 000003
【図２】
2006230745.tif 000004
【図３】
2006230745.tif 000005
【図４】
2006230745.tif 000006
【図５】
2006230745.tif 000007